(57)【要約】  紙葉の束（４）の装丁用のバインディングフォルダーであって、前記バインディングフォルダー（１）が、本質的に、紙葉の束（４）の縁部（３）を包囲する背部材（２）と、前記背部材に取り付けられた、少なくとも一方が合成材料から成る２枚のカバーシート（５）と、を有し、少なくとも一方のカバーシート（５）が、バインディングフォルダー（１）の内側方向に向かう前記カバーシート（５）の面（１１）に対してトップシート（１０）を備えており、前記トップシート（１０）が、取り外し可能な方法で前記カバーシート（５）及び／又は背部材（２）に取り付けられていることを特徴とする、バインディングフォルダー。【選択図】図１
2018516789.tif 000002
【特許請求の範囲】
【請求項１】
紙葉の束（４）の装丁用のバインディングフォルダーであって、
前記バインディングフォルダー（１）が、本質的に、紙葉の束（４）の縁部（３）を包囲する背部材（２）と、前記背部材に取り付けられた、少なくとも一方が合成材料から成る２枚のカバーシート（５）と、を有し、
少なくとも一方のカバーシート（５）が、バインディングフォルダー（１）の内側方向に向かう前記カバーシート（５）の面（１１）に対してトップシート（１０）を備えており、
前記トップシート（１０）が、取り外し可能な方法で前記カバーシート（５）及び／又は背部材（２）に取り付けられている
ことを特徴とする、バインディングフォルダー。
【請求項２】
前記トップシート（１０）が、帯電防止特性を有する紙、カードボード又は他のいずれかの材料から成ることを特徴とする、請求項１に記載のバインディングフォルダー。
【請求項３】
前記トップシート（１０）が、少なくとも１つの外側層が帯電防止性であり、且つ他方の外側層がその表面の全て又は一部にわたって接着剤層を有する、単一層の又は多層の合成材料から成ることを特徴とする、請求項１又は２に記載のバインディングフォルダー。
【請求項４】
前記トップシート（１０）又はその少なくとも外側層が、帯電防止性のポリエチレンフィルムから成ることを特徴とする、請求項３に記載のバインディングフォルダー。
【請求項５】
前記トップシート（１０）が、透明であって、且つ、一方の面に接着剤層を有することを特徴とする、請求項４に記載のバインディングフォルダー。
【請求項６】
前記トップシート（１０）が、当該トップシート（１０）に備えられた接着剤によって、前記バインディングフォルダー（１）に取り付けられていることを特徴とする、請求項１〜５のうちいずれか１項に記載のバインディングフォルダー。
【請求項７】
前記接着剤が、接着糊又は冷却接着剤であることを特徴とする、請求項６に記載のバインディングフォルダー。
【請求項８】
接着剤が、前記トップシート（１０）の縁部（１３ａ，１３ｂ）において、接着剤片（１２）の形態にあるか、又は、１滴、２滴、３滴若しくはそれ以上の接着剤滴（２１）の形態にあり、前記縁部（１３ａ，１３ｂ）が前記背部材（２）と並行して伸張している、ことを特徴とする、請求項６又は７に記載のバインディングフォルダー。
【請求項９】
前記トップシート（１０）の前記縁部（１３ａ）が、前記背部材（２）から離れた方向にある、請求項８に記載のバインディングフォルダー。
【請求項１０】
前記トップシート（１０）の前記縁部（１３ｂ）が、前記背部材（２）に向かう方向にある、請求項８に記載のバインディングフォルダー。
【請求項１１】
前記トップシート（１０）が、前記接着剤片（１２）、又は、前記１滴、２滴、３滴若しくはそれ以上の接着剤滴（２１）が前記背部材（２）の位置になるように、より具体的には、前記背部材（２）の直立アーム部（８）の位置になるように、前記カバーシート（５）に対して貼り付けられている、請求項１０に記載のバインディングフォルダー。
【請求項１２】
前記縁部（１３ｂ）が、前記背部材（２）の基部（７）からある間隔（Ａ）をとっていることを特徴とする、請求項１１に記載のバインディングフォルダー。
【請求項１３】
前記間隔（Ａ）が、３〜７ミリメートル、又はより良好には５〜７ミリメートルであることを特徴とする、請求項１２に記載のバインディングフォルダー。
【請求項１４】
前記接着剤が、前記トップシート（１０）の切り取り片（１７）に備えられ、それによって、当該切り取り片（１７）が前記背部材（２）の少なくとも一部にあるように、前記トップシート（１０）が前記カバーシート（５）に貼り付けられていることを特徴とする、請求項６又は７に記載のバインディングフォルダー。
【請求項１５】
接着剤が、接着剤片（１２）の形態で、又は、１滴、２滴、３滴若しくはそれ以上の接着剤滴（２１）の形態で備えられていることを特徴とする、請求項１４に記載のバインディングフォルダー。
【請求項１６】
前記切り取り片（１７）の幅が、前記背部材（２）の深さと同じか、ほぼ同じであることを特徴とする、請求項１４又は１５に記載のバインディングフォルダー。
【請求項１７】
前記トップシート（１０）が、前記カバーシート（５）のフリー縁部（２０）の周囲に貼り付けられた折り畳み片（１９）によって、当該カバーシート（５）に取り付けられていることを特徴とする、請求項１又は２に記載のバインディングフォルダー。
【請求項１８】
前記カバーシート（５）が、滑らかな及び／又は光沢ある表面を有することを特徴とする、請求項１〜１７のうちいずれか１項に記載のバインディングフォルダー。
【請求項１９】
前記トップシート（１０）が、前記カバーシート（５）とほぼ同じ大きさであることを特徴とする、請求項１〜１８のうちいずれか１項に記載のバインディングフォルダー。
【請求項２０】
前記トップシート（１０）が、前記カバーシート（５）の周縁を超えて少なくとも一部（１６）だけ突き出ていることを特徴とする、請求項１〜１９のうちいずれか１項に記載のバインディングフォルダー。
【請求項２１】
前記トップシート（１０）が、少なくとも一方の面に印刷部分（１５）を備えていることを特徴とする、請求項１〜２０のうちいずれか１項に記載のバインディングフォルダー。
【請求項２２】
各々のカバーシート（５）が、前記バインディングフォルダーの内側方向に向かう前記カバーシート（５）の面（１１）に対してトップシート（１０）を備えており、当該トップシート（１０）が、取り外し可能な方法で前記カバーシート（５）及び／又は背部材（２）に取り付けられている、ことを特徴とする、請求項１〜２１のうちいずれか１項に記載のバインディングフォルダー。
【請求項２３】
前記背部材（２）が、基部（７）及び２つの対称の又は非対称のアーム（８）部を有する、紙、カードボード、金属又は合成材料の、Ｕ字形の又はＶ字形の形状（６）であることを特徴とする、請求項１〜２２のうちいずれか１項に記載のバインディングフォルダー。
【請求項２４】
前記背部材（２）が、内側に前記紙葉の束（４）の前記縁部（３）を取り付けるための接着剤層（９）を有することを特徴とする、請求項２０に記載のバインディングフォルダー。
【請求項２５】
両方のカバーシート（５）が、合成材料から成ることを特徴とする、請求項１〜２４のうちいずれか１項に記載のバインディングフォルダー。
【請求項２６】
請求項１〜２５のうちいずれか１項に記載のバインディングフォルダーにおける、トップシートとしての帯電防止プラスチックフィルムの使用。
【請求項２７】
帯電防止ポリエチレンの外層（２３）及び接着剤層（２４）を有する多層フィルム（２２）の形態にある、請求項２６に記載の帯電防止プラスチックフィルムの使用。
【発明の詳細な説明】
【技術分野】
【０００１】
本発明は、バインディングフォルダーに関する。
具体的には、本発明は、紙葉の束の縁部を中に挿入することを目的とする背部材を備えたバインディングフォルダーであって、当該背部材が紙葉の束を保護することを目的とする２枚のカバーシートを備えた、前記バインディングフォルダーに関する。
【背景技術】
【０００２】
そのようなバインディングフォルダーは既知であり、紙葉の装丁した束又は本をたやすく且つ柔軟に製造することを可能とする。
【０００３】
既知のバインディングフォルダーは、２枚の、しばしばプラスチックの、カバーシートが取り付けられたホットメルト接着剤を備えた金属の又はカードボードの背部材を有する。
【０００４】
プラスチックカバーシートは、軽く且つ頑丈であり、及び殆どの場合、例えば雨のような湿気又は水に対して耐性を有するという利点を有する。
【０００５】
紙葉の束が、ホットメルト接着剤によって背部材に貼り付けられ得、次いで、背部材のアーム部を互いの方向へと曲げて、紙葉の束に対して比較的密接して固定し、又は、当該束をほとんど締め付けることが可能である。
【発明の概要】
【発明が解決しようとする課題】
【０００６】
そのような既知のバインディングフォルダーは、プラスチックカバーシートが頻繁に静電荷を帯びるため、紙葉の束を挿入したときに、最も外側の紙葉がこの静電気の結果としてのある種の引力を受け、このことがそのままプラスチックカバーシートに対して紙葉のくっつきを生じさせてしまう。
【０００７】
結果として、最も外側の紙葉は、背部材に貼り付かないか、又はあまり良く貼り付かない。
【０００８】
滑らかな又は光沢ある表面を有するカバーシートは特に、これら静電気又は静電荷の有害な影響を受ける。
【０００９】
このことは、最も外側の紙葉が、残りの紙葉の束とあまりうまく揃えられなくなるという欠点を有する。こうして、完成され、装丁された束は、品質及び外観又は“見た目”に劣る。
【００１０】
さらなる欠点は、最も外側の紙葉がホットメルト接着剤ではあまり良く貼り付かないため、背部材に装丁されないことである。このことは、これら紙葉が、完成され且つ装丁された束から外れてしまうことを意味する。
【００１１】
そのような課題の解決法が存在する。
【００１２】
第一の既知の解決法は、カバーシートの表面から前記電荷を除去し得る装置から成る。
【００１３】
当該解決法は非常に高価であり、且つ、完成品に適用するのが非常に困難である。
【００１４】
さらには、プラスチックカバーシートの表面上の最も僅かな摩擦でも、当該表面を再度帯電させる。例えば、２つのバインディングフォルダーを互いにスライドさせること、又はバインディングフォルダーを包装から取り出すことが、静電気を再度発生させるのに十分であろう。
【００１５】
もう一つの既知の解決法は、カバーシートの表面を、微細な凸凹でより荒くすることから成る。このことにより、束の最も外側の紙葉とカバーシートとの間に常に空気を残してしまうことが確実である。
【００１６】
当該空気層の結果として、最も外側の紙葉とカバーシートとの間の引力又は‘接着力’が、完全には無くならないが、低下してしまう。
【００１７】
当該方法のさらなる欠点は、カバーシートの外観が変化し、且つ、それ以前は光沢あったカバーシートが、これら凹凸によって艶無しとなり、及び、これら凹凸によって、それ以前は透明であったカバーシートがもはや透明ではなくなり、これらのことは、大部分の末端使用者にとっては望ましくない。
【課題を解決するための手段】
【００１８】
本発明の目的は、前述の及び他の欠点の少なくとも１つに対する解決法を提供することである。
【００１９】
この目的のために、本発明は、紙葉の束の装丁用のバインディングフォルダーであって、前記バインディングフォルダーが、本質的に、紙葉の束の縁部を包囲する背部材と、前記背部材に取り付けられた、少なくとも一方が合成材料から成る２枚のカバーシートと、を有し、少なくとも一方のカバーシートが、当該バインディングフォルダーの内側方向に向かうカバーシートの面に対してトップシートを備えており、前記トップシートが、取り外し可能な方法で前記カバーシート及び／又は背部材に取り付けられている、バインディングフォルダーに関する。
【００２０】
バインディングフォルダーの内側方向に向かうカバーシートの面とは、紙葉の束をバインディングフォルダーによって装丁したときに、当該紙葉の束に向かうカバーシートの面を意味する。
【００２１】
利点は、プラスチックカバーシートに対して貼り付けられたトップシートが、束の最も外側の紙葉が、カバーシートの静電荷によって妨げられないことを確実にすることである。
【００２２】
この効果的なトップシートは、静電荷を帯びていないか、又は殆ど静電荷を帯びていないか、又は静電荷を帯びるのが非常に困難である材料、例えば、単層又は多層の紙、カードボード、合成材料、又は摩擦によっても殆ど静電荷を帯びないいずれかの材料から成っている。
【００２３】
トップシートは、強く静電荷を帯びているか又はそうでないカバーシートと、束の最も外側の紙葉との間の、一種の中間遮蔽部として作用するために、それらは互いに‘くっつく’ことができない。
【００２４】
中間遮蔽部又はトップシートによって、束の最も外側の紙葉と、当該束の他の紙葉とは一緒に、背部材に貼り付けられ得る。
【００２５】
結果として、装丁した束の全ての紙葉は、うまく揃えられるため、良好且つ完全に装丁された紙葉の束が得られ得る。
【００２６】
さらには、全ての紙葉が背部材に及び如何なるホットメルト接着剤にも良好に貼り付けられるため、全ての紙葉の良好な装丁が得られ得る。
【００２７】
トップシートは、取り外し可能な方法でカバーシート及び／又は背部材に取り付けられているため、束の装丁後に取り外され得、その結果、場合によっては小さな残りの一部を除いて、完成され且つ装丁された束においてもう見えることがない。
【００２８】
このことはまた、静電荷の有害な影響に対する安価な且つ効果的な解決法でもある。
【００２９】
さらには、滑らかな表面を有する、即ち微細な凸凹の無い、透明なカバーシートを用いることができる。
【００３０】
両方のカバーシートは合成材料から成るが、当該２枚のカバーシートのうち１枚が、例えば紙又はカードボードのような他の材料から成っていることもまた可能である。
【００３１】
好ましくは、トップシートは、トップシートに与えられる接着剤によってバインディングフォルダーに取り付けられている。
【００３２】
このことは、例えば、バインディングフォルダーの製造後に、接着剤を用いてそのようなトップシートをカバーシートに接着することによって実現することが容易である、という利点を有する。
【００３３】
本発明の好ましい特徴によれば、トップシートはカバーシートとほぼ同じ大きさである。
【００３４】
このことは、束の最も外側の紙葉が、カバーシートの如何なる静電荷の影響に対しても最適の保護を有する、という利点を有する。
【００３５】
両方のカバーシートが合成材料又は静電荷に対して感受性の他の材料から成っている場合には、好ましくは、各々のカバーシートは、当該バインディングフォルダー（１）の内側方向にむかう前記カバーシートの面に対してトップシートを備えており、当該トップシートが、取り外し可能な方法で前記カバーシート及び／又は背部材に取り付けられている。
【００３６】
当該方法において、束の両側の最も外側の紙葉は、プラスチックカバーシートの静電荷に対して保護される。
【００３７】
本発明の特徴をより良好に示す目的で、本発明に従うバインディングフォルダーの幾つかの好ましい態様を、本質を限定すること無く、添付の図面を参照し、例を用いて後述する。
【図面の簡単な説明】
【００３８】
【図１】図１は、本発明によるバインディングフォルダーの斜視図を概略的に示す。
【図２】図２は、図１のバインディングフォルダー内の紙葉の束の装丁方法を概略的に示す。
【図３】図３は、図１のバインディングフォルダー内の紙葉の束の装丁方法を概略的に示す。
【図４】図４は、図１のＩＶ−ＩＶ線による断面図を概略的に示す。
【図５】図５は、本発明によるバインディングフォルダーの別の態様を概略的に示す。
【図６】図６は、本発明によるバインディングフォルダーの別の変形を概略的に示す。
【図７】図７は、本発明によるバインディングフォルダーの別の態様を概略的に示す。
【図８】図８は、本発明によるバインディングフォルダーの別の態様を概略的に示す。
【図９】図９は、本発明によるバインディングフォルダーの他の２つの変形を示す。
【図１０】図１０は、本発明によるバインディングフォルダーの他の２つの変形を示す。
【図１１】図１１は、本発明によるバインディングフォルダーの別の態様を概略的に示す。
【図１２】図１２は、本発明によるバインディングフォルダーの別の態様を概略的に示す。
【図１３】図１３は、本発明によるバインディングフォルダーの別の態様を概略的に示す。
【図１４】図１４は、本発明によるバインディングフォルダーの別の態様を概略的に示す。
【図１５】図１５は、多層フィルムの形態にあるトップシートを示す。
【発明を実施するための形態】
【００３９】
図１〜４に示す本発明によるバインディングフォルダー１は、本質的に、紙葉の束４の縁部３を包囲する背部材２と、前記背部材に取り付けられた２枚のカバーシート（５）とを有する。
【００４０】
必ずしもそうではないが、この場合において、前記背部材２は、基部７及び２つのアーム部８を有する、Ｕ字形の又はＶ字形の形状である。
【００４１】
図1に示すとおり、本例において、背部材２は、内側に紙葉の束４の前記縁部３を取り付けるための接着剤層９を有する。
【００４２】
当該接着剤９は、例えば背部材２の基部７の加熱により溶融するホットメルト接着剤である。
【００４３】
本発明によれば、少なくとも一方のカバーシート５又は両方のカバーシートは、合成材料から成る。この場合、両方のカバーシート５は合成材料から成り、そして一方のカバーシート５は滑らかな及び光沢ある表面を有する。そのような種類のカバーシート５は、非常に良好な審美的特性を有する為に、大部分の末端使用者にとって好ましい。さらには、円滑なカバーシート５はまた、粗いカバーシートとは対照的に、透明ともされ得る。
【００４４】
他方のカバーシート５は、艶無し且つ半透明な表面を有し得、及び半透明であるが透明ではない。
【００４５】
本発明によれば、滑らかな及び光沢あるカバーシート５である場合において、少なくとも一方のカバーシート５は、この場合において、紙又は静電防止性材料、言い換えると、静電荷が蓄積し得ないか又は実質的に蓄積し得ない合成材料から成るトップシート１０を有している。
【００４６】
静電防止性材料の例は、傷付くことが無いという利点をさらに付与する静電防止ポリエチレンフィルム（ＬＤＰＥフィルム）であり、そして結果として、トップシート１０が取り付けられたカバーシート５は傷に対して保護される。
【００４７】
そのような静電防止フィルムはまた、透明とすることができるため、透明なカバーシート５の場合には、カバーシート１０を貼り付けた後の透明性が保持され、そのため、真新しいバインディングフォルダー１を選択するときに、真っ先に使用者がその包装を確認しなければならないということなく、透明なカバーシート５を有するバインディングフォルダー１を選択し得るということが、その使用者には直ちに明らかとなる。
【００４８】
トップシート１０は、バインディングフォルダー１の内側方向に向かうカバーシート５の面１１に対して、即ち、紙葉の束４に向かうカバーシート５の面１１に対して、貼り付けられている。当該面１１は、カバーシート５の‘内側’とみなされ得る。
【００４９】
この場合、トップシート１０は、カバーシート５の面積よりも幾らか小さい。
【００５０】
カバーシート１０は、取り外し可能な方法でカバーシート５に取り付けられている。
【００５１】
示した実施例においては、図４に見られるように、トップシート１０に接着剤片１２の形態にある接着剤によって、貼り付けられる。
【００５２】
この場合において、接着剤片１２は連続片であるが、間に接着剤の無い領域を有する、多数の断続的な接着剤片から成る、不連続な切り取り片１２でもあり得る。
【００５３】
接着剤片１２に用いられる接着剤は、好ましくは、自己接着可能な又はその他の、及び、接着剤を有するトップシート１０をバインディングフォルダー１から取り外すことができる、接着糊又は冷却接着剤である。
【００５４】
接着剤片１２は、トップシート１０の縁部１３ａに位置しており、当該縁部１３ａは、背部材２と並行して伸張している。これは、図４において概略的に示される。
【００５５】
見られるとおり、接着剤片１２が位置するトップシート１０の当該縁部１３ａは、背部材２から離れた方向にある。
【００５６】
背部材２と並行に伸張し、そして背部材とより近接する、トップシート１０の他方の縁部１３ｂは、接着剤片を有しておらず、そのため原則、持ち上がり得る。しかし、予想される静電気の存在によって、トップシート１０は、静電荷の引力により、又はカバーシート５とトップシート１０との間の接着又は真空により、カバーシート５に‘くっつく’であろう。
【００５７】
接着剤片１２は背部材２と並行であるが、背部材２に対して斜めに貼り付けられ得ることも明らかである。このことは、接着剤片１２が背部材２に対して並行に伸張しないことを意味する。
【００５８】
接着剤片１２は、縁部１３ａ又は１３ｂの位置に、又は、これら２つの縁部１３ａと１３ｂとの間のいずれかの位置に、又は、１３ａと１３ｂとの間の全面にわたり、貼り付けられ得る。
【００５９】
図１〜４に示されるように、バインディングフォルダー１内の紙葉の束４を装丁するために、それは下記のとおりすすめることができる。
【００６０】
紙葉の束４は、例えば、一方の手で背部材２を掴み、そして、前記縁部３が接着剤層９で被覆した基部７に接触するまで、他方の手で紙葉の束４を背部材２へと導入することによって、バインディングフォルダー１の背部材２に貼り付けられる。これは図２に示す。
【００６１】
トップシート１０によって、束４の最も外側の紙葉１４と、カバーシート５との間に引力が存在しないため、束の全ての紙葉１４がホットメルト接着剤中に進入する。
【００６２】
接着剤片１２が、背部材２から離れた方向のトップシート１０の縁部１３ａにあるか、又はカバーシート１０の全面にわたっているために、接着剤片１２がトップシート１０をカバーシート５と接触して保持するため、束４の最も外側の紙葉１４は、不必要に及び偶然にトップシート１０とカバーシート５との間に入ることがない。
【００６３】
その後、背部材２内のホットメルト接着剤層９は加熱されるために液体となる。
【００６４】
これは、ホットメルト接着剤層９が熱の影響下で溶融するように、ホットプレート上に背部材２を有するバインディングフォルダー１を置くことにより、行い得る。
【００６５】
背部材２内のホットメルト接着剤層９の固化後、紙葉の束４はバインディングフォルダー１内に装丁される。
【００６６】
所望により、背部材２のアーム部８はまた、背部材２の当該アーム部８の間に束４を締め付けるように、折り畳まれ得るか又は圧力をかけられ得る。
【００６７】
その後、トップシート１０は、接着剤片１２を有していない前記トップシート１０の前記縁部１３ｂを持ち上げ、そしてそれによってカバーシート５から接着剤片１２を切り離すことによって取り外され得る。
【００６８】
自己接着性糊を使用しているので、当該トップシート１０は、カバーシート５上に接着剤残渣を残すことなく、容易く取り外し得る。
【００６９】
使用者はもちろん、装丁された束４を有するフォルダーを介してページをめくる場合に、束の最も外側の紙葉１４がカバーシート５にくっつき続くことがないように、トップシート１０を取り外さないことを選択し得る。
【００７０】
図５は、図１の変形を示す。この場合、接着剤片１２は、背部材２と並行して伸張し、及びバインディングフォルダー１の背部材２に近接して位置している、トップシート１０の縁部１３ｂにある。
【００７１】
さらには、トップシート１０は、一方の面に印刷部分１５を備えている。トップシート１０の他方の面又は両方の面が印刷部分１５を備えていることを除くものではない。
【００７２】
当該印刷部分１５は、例えばバインディングフォルダー１の用途についての取扱説明書又はその他の情報、即ち例えば、販促又は広告メッセージを包含し得る。
【００７３】
取扱説明書を包含するトップシート１０の利点は、トップシート１０がバインディングフォルダー１に貼り付けられているために、当該情報が失われないことである。
【００７４】
ユーザーは常に、紙葉の束４を装丁するのに使用する各々のバインディングフォルダーについて利用できるこの‘記憶補助手段’を有するために、取扱説明書に従い、良好に装丁された束４が毎回得られ得る。
【００７５】
図６は、図５の変形を示しており、トップシート１０が、少なくとも一部１６によって、カバーシート５の周縁を超えて突き出ている。
【００７６】
この場合、トップシート１０は、‘タブ’又は突出したリップ１６を有する。
【００７７】
このことは、当該突出部部位１６を有することによって、カバーシート５の静電荷によりトップシートがカバーシート５に引き付けられるとしても、トップシート１０は容易く取り外すことが出来る、という利点を有する。
【００７８】
図７及び８は、もう一つの態様を示しており、この場合において、トップシート１０の接着剤は、トップシート１０の切り取り片１７を有する。切り取り片１７は、ミシン目ライン１８（又は裂け目ライン）によって、トップシート１０から分離されている。
【００７９】
図８において明確に示されるように、トップシート１０は、切り取り片１７が背部材２内の少なくとも部分的にあるように、カバーシート５に貼り付けられている。
【００８０】
言い換えると、接着剤片１２は、背部材２のアーム部８にある。言い換えると、トップシート１０はバインディングフォルダー１の背部材２に取り付けられており、前記態様のようにカバーシート５に取り付けられてはいない。
【００８１】
切り取り片１７が完全に背部材１内にあることも、もちろん除外されない。
【００８２】
好ましくは、切り取り片１７の幅は、背部材２の深さと同じか又はほぼ同じである。このことは、切り取り片１７が完全に背部材２内にあるという利点を有しているが、保護片１０がアーム部８の自由端の位置の位置しているため、ミシン目ライン１８に沿って容易に引き剥がされ得る。
【００８３】
図７及び８に示されるように、バインディングフォルダー１内の紙葉の束４を貼り付けた後に、トップシート１０は、ミシン目ライン１８に沿って切り離され、そして除かれ、それによって、切り取り片１７はバインディングフォルダー１の裏側に残る。
【００８４】
切り取り片１７は、ほぼ完全に背部材２内にあるために、殆ど見えない。
【００８５】
図７及び８の例において、接着剤が接着剤片１２の形態で与えられているが、当該接着剤が、１滴、２滴、３滴若しくはそれ以上の接着剤滴の形態で与えられることも除外されない。
【００８６】
図９は、図１のもう一つの選択的な態様を示しており、この場合、両方のカバーシート５が、バインディングフォルダー１の内側方向に向かう各々のカバーシート５の面に対してトップシート１０を備えている。
【００８７】
接着剤片１２は両方とも、背部材から離れた方向にある、カバーシート１０の縁部１３ａにある。
【００８８】
上記実施例においては、接着剤は、トップシート上に、連続的な、中断されていない接着剤片１２の形態で適用されているが、接着剤は、トップシート１０の表面全体にわたって、又は多数の局所的な点の形態で適用されることも除外されない。例えば、接着剤は、１滴、２滴、３滴若しくはそれ以上の接着剤滴の形態で、又は、間に接着剤の無い領域を有する、多数の断続的な接着剤片から成る不連続な接着剤片の形態で、トップシート１０の表面に適用され得る。多数の連続的な又は不連続な接着剤片１２が適用されることも除外されない。
【００８９】
接着剤１２は、トップシート１０の面全体にわたって薄層で適用されることも可能である。この場合、例えば、使用されるカバーシート１０は、図１５に示される、帯電防止性の外側層２３、例えば帯電防止性のポリエチレン、及び接着剤の薄層２４と共に裁断した多層フィルム２２から成り得る。
【００９０】
上記のとおり、接着剤片１２は、トップシート１０の縁部１３ａと縁部１３ｂとの間の各々の位置において、背部材２と並行して、又はその他で、適用され得る。
【００９１】
図１０はもう一つの態様を示しており、この場合において、トップシート１０は、接着剤によってカバーシート５に取り付けられていないが、トップシート１０は、カバーシート５のフリー縁部２０の周囲に貼り付けられた折り畳み片１９を備える。
【００９２】
示される図中、当該フリー縁部２０は、背部材に並行であるが、必ずしもその場合ではない。
【００９３】
図１０に示され得るとおり、折り畳み片１９は、好ましくはカバーシート５の外側に貼り付けられる。
【００９４】
そのような態様は、接着剤を必要としないという利点を有する。トップシート１０は、カバーシート５の静電荷によって当該カバーシート５に取り付けられるために、適当な場所のままである。
【００９５】
バインディングフォルダー１の背部材２は、紙又は布又はその他により被覆された金属から成り得るが、カードボード又は合成材料からも成り得る。
【００９６】
図１１及び１２はそのような態様を示しており、バインディングフォルダー１は、カードボードの背部材２を備えており、カバーシート５もまたカードボードから成っている。
【００９７】
この場合において、必ずしもそうではないが、第一のカバーシート５及び背部材２が、カードボードの１つなぎの部品から成っている。このことは図１２において明確に示され得る。
【００９８】
第二のカバーシート５は合成材料から成っている。当該合成材料は、艶無しの又は滑らかな且つ光沢ある合成材料、又は透明又はその他であり得る。
【００９９】
当該第二のカバーシート５は、例えば図５と類似のトップシート１０を備える。
【０１００】
図１３及び１４は、本発明によるバインディングフォルダー１の最後の態様を示す。
【０１０１】
バインディングフォルダー１は、カバーシート５のうちの１枚の貼り付けられたトップシート１０を備える。
【０１０２】
この場合、接着剤は、背部材に並行して伸張しているトップシート１０の縁部１３ｂ上に、２滴の接着剤滴２１の形態でトップシート上に与えられており、当該縁部１３ｂは背部材２に向かう方向にある。
【０１０３】
接着剤滴２１は、トップシート１０の隅の位置に位置しているが、必ずしもその場合ではない。
【０１０４】
さらには、１滴又は３滴又はそれ以上の接着剤滴２１だけでもよい。
【０１０５】
接着剤滴２１は、多数の局所的な点にて、カバーシート１０の取り付けを確かなものにする。
【０１０６】
この場合において、トップシート１０は、前記接着剤滴２１が、背部材２に位置するように、具体的には、背部材２の直立アーム部８に位置するように、カバーシート５に対して貼り付けられている。
【０１０７】
前記縁部１３は、背部材２の基部７からある間隔Ａをとっている。
【０１０８】
当該間隔Ａは、好ましくは３〜７ミリメートル、又はより良好には５〜７ミリメートルである。
【０１０９】
結果として、このことは、束４が背部材２に装丁された場合に、ホットメルト接着剤によってトップシート１０が背部材２に装丁されるのを防止し得る。
【０１１０】
図７及び８の態様に対する相違は、切り取り片１７及びミシン目ライン１８が存在しないことである。
【０１１１】
この場合、カバーシート１０は、束４がバインディングフォルダー１に貼り付けられた後に、完全に取り除かれる。わずか２滴の接着剤２１しか用いられないために、トップシート１０をバインディングフォルダー１から完全に取り除くことができる。
【０１１２】
利点は、切り取り片１７が、切り取りがきちんと行われない場合には見栄えがしない、背部材２に残るということがないことである。
【０１１３】
さらには、このことは、接着剤がカバーシート５に残った場合でも、残った接着剤は束４の装丁後に視界から隠れた位置にあるために見えない、という利点を有する。
【０１１４】
図１３及び１４の例において、接着剤は接着剤滴２１の形態で適用されるが、連続的な、中断されていない接着剤片１２の形態で適用されることも除外されない。これによって当該接着剤片１２は好ましくは、できるだけ薄く作られているために、背部材２からトップシート１０を取り除くことが可能のままである。選択的に、接着剤は、不連続な接着剤片１２の形態で適用され得、当該片は、間に接着剤の無い領域又は空間を有する、種々の部分片から成っている。
【０１１５】
例えば不連続の又は連続の形態で、１０ｃｍの長さにわたって中央に接着剤片１２を適用することもまた可能である。
【０１１６】
本発明は、実施例に記載され、及び図面に示された態様に決して限定されないが、本発明によるバインディングフォルダーは、本発明の目的から逸脱することなく、全ての種類の形態及び寸法においてにおいて実現され得る。
【図１】
2018516789.tif 000003
【図２】
2018516789.tif 000004
【図３】
2018516789.tif 000005
【図４】
2018516789.tif 000006
【図５】
2018516789.tif 000007
【図６】
2018516789.tif 000008
【図７】
2018516789.tif 000009
【図８】
2018516789.tif 000010
【図９】
2018516789.tif 000011
【図１０】
2018516789.tif 000012
【図１１】
2018516789.tif 000013
【図１２】
2018516789.tif 000014
【図１３】
2018516789.tif 000015
【図１４】
2018516789.tif 000016
【図１５】
2018516789.tif 000017
【国際調査報告】
2018516789.tif 000018
2018516789.tif 000019